【手続補正書】
【提出日】平成20年10月9日(2008.10.9)
【手続補正１】
【補正対象書類名】特許請求の範囲
【補正対象項目名】全文
【補正方法】変更
【補正の内容】
【特許請求の範囲】
【請求項１】
光源と液晶ディスプレイパネルとの間での使用のための光管理ユニットであって、
少なくとも第１の基材を含む第１の光学サブアセンブリであって、また、１つ以上の拡散要素を含む第１の光学サブアセンブリと、
少なくとも第２の基材を含む第２の光学サブアセンブリであって、前記第１の光学サブアセンブリと前記第２の光学サブアセンブリとの間に間隙を生じさせるように、前記第１のサブアセンブリに装着された第２の光学サブアセンブリとを含む光管理ユニット。
【請求項２】
バックライトと、
上部プレートおよび下部プレート、ならびに前記上部プレートと前記下部プレートとの間に配置された液晶層を含む液晶ディスプレイ（ＬＣＤ）パネルと、
前記バックライトと前記ＬＣＤパネルとの間に配置された請求項１に記載された光管理ユニットとを含むディスプレイシステム。
【手続補正２】
【補正対象書類名】明細書
【補正対象項目名】０１４７
【補正方法】変更
【補正の内容】
【０１４７】
本発明は、上述された特定の実施例に限定されるとみなされるべきではないが、むしろ、特許請求の範囲に適切に述べられたような本発明の態様をすべて網羅すると理解されるべきである。本発明が適用可能であろうさまざまな修正例、均等なプロセス、および多数の構造は、本明細書を検討すると、本発明が向けられる技術における当業者には容易に明らかであろう。たとえば、ここで説明されるような光管理ユニットの使用は、バックライトと光学サブアセンブリとの間の、または光学サブアセンブリとＬＣＤパネルとの間の自立性光学フィルムの使用を除外しない。特許請求の範囲は、そのような修正例およびデバイスを網羅することが意図される。
以下に、本願発明に関連する発明について、その実施形態を列挙する。
［実施形態１］
光源と液晶ディスプレイパネルとの間での使用のための光管理ユニットであって、
少なくとも第１の基材を含む第１の光学サブアセンブリであって、また、１つ以上の拡散要素を含む第１の光学サブアセンブリと、
少なくとも第２の基材を含む第２の光学サブアセンブリであって、前記第１の光学サブアセンブリと前記第２の光学サブアセンブリとの間に間隙を生じさせるように、前記第１のサブアセンブリに装着された第２の光学サブアセンブリとを含む光管理ユニット。
［実施形態２］
前記１つ以上の拡散要素が少なくとも第１のディフューザ層を構成する、実施形態１に記載のユニット。
［実施形態３］
前記第１のディフューザ層が前記第１の基材に直接付着される、実施形態２に記載のユニット。
［実施形態４］
前記第１のディフューザ層が、前記第１のディフューザ層と前記第１の基材との間に配置された接着剤層を介して前記第１の基材に付着される、実施形態２に記載のユニット。
［実施形態５］
前記第１のディフューザ層が、前記第１の基材の、前記第２のサブアセンブリの方に面する側に設けられ、前記第１のサブアセンブリが、前記第１の基材の、前記第２のサブアセンブリから離れる方に面する側に設けられた第２のディフューザ層を含む、実施形態２に記載のユニット。
［実施形態６］
前記第１の光学サブアセンブリが、前記第１の光学サブアセンブリの幅を横切って均一である拡散特徴を提供する、実施形態１に記載のユニット。
［実施形態７］
前記１つ以上の拡散要素が前記第１の基材を構成し、前記第１の基材がバルクディフューザプレートである、実施形態１に記載のユニット。
［実施形態８］
反射偏光子および輝度向上層の少なくとも１つが、前記第１または第２の光学サブアセンブリに付着されるか、前記第１の光学サブアセンブリと前記第２の光学サブアセンブリとの間の前記間隙に配置される、実施形態１に記載のユニット。
［実施形態９］
前記第１の光学サブアセンブリが前記輝度向上層を含む、実施形態８に記載のユニット。
［実施形態１０］
前記第１の光学サブアセンブリが前記反射偏光子をさらに含む、実施形態９に記載のユニット。
［実施形態１１］
前記第２の光学サブアセンブリが前記反射偏光子を含む、実施形態９に記載のユニット。
［実施形態１２］
前記第２の光学サブアセンブリが前記輝度向上層を含む、実施形態８に記載のユニット。
［実施形態１３］
前記第２の光学サブアセンブリが前記反射偏光子を含む、実施形態１２に記載のユニット。
［実施形態１４］
前記第１の光学サブアセンブリが前記反射偏光子を含む、実施形態１２に記載のユニット。
［実施形態１５］
前記第１の光学サブアセンブリが前記反射偏光子を含む、実施形態８に記載のユニット。
［実施形態１６］
前記第２の光学サブアセンブリが前記反射偏光子を含む、実施形態８に記載のユニット。
［実施形態１７］
前記輝度向上層が、前記第１の光学サブアセンブリと前記第２の光学サブアセンブリとの間の前記間隙に配置される、実施形態８に記載のユニット。
［実施形態１８］
前記反射偏光子が、前記第１の光学サブアセンブリと前記第２の光学サブアセンブリとの間の前記間隙に配置される、実施形態８に記載のユニット。
［実施形態１９］
前記１つ以上の拡散要素を通る１通過光学透過が、約７２％〜９５％の範囲内である、実施形態１に記載のユニット。
［実施形態２０］
前記範囲が約７５％〜９０％である、実施形態１９に記載のユニット。
［実施形態２１］
前記第１のサブアセンブリと前記第２のサブアセンブリとの間に位置決めされたスペーサであって、前記間隙を規定するように、前記第１および第２のサブアセンブリを隔置するスペーサをさらに含む、実施形態１に記載のユニット。
［実施形態２２］
前記スペーサが、前記第１および第２のサブアセンブリをともに接着保持する、実施形態２１に記載のユニット。
［実施形態２３］
前記スペーサが、前記第１および第２のサブアセンブリに接着する接着フォームテープから形成される、実施形態２１に記載のユニット。
［実施形態２４］
前記スペーサが、前記第１および第２のサブアセンブリのそれぞれの表面の周縁に沿って位置決めされる、実施形態２１に記載のユニット。
［実施形態２５］
バックライトと、
上部プレートおよび下部プレート、ならびに前記上部プレートと前記下部プレートとの間に配置された液晶層を含む液晶ディスプレイ（ＬＣＤ）パネルと、
前記バックライトと前記ＬＣＤパネルとの間に配置された光管理ユニットであって、前記光管理ユニットが、第１の基材を含む第１の光学サブアセンブリ、および第２の基材を含む第２の光学サブアセンブリを有し、前記第２の光学サブアセンブリが、前記第１の光学サブアセンブリと前記第２の光学サブアセンブリとの間に間隙を生じさせるように、前記第１のサブアセンブリに装着され、前記光管理ユニットが、前記バックライトから前記ＬＣＤパネルに進む光を拡散させる、光管理ユニットとを含むディスプレイシステム。
［実施形態２６］
前記バックライトが、反射体と前記第１の光学サブアセンブリとの間に配置された複数の光源を含む、実施形態２５に記載のシステム。
［実施形態２７］
前記光源が蛍光ランプを含む、実施形態２６に記載のシステム。
［実施形態２８］
前記光源が発光ダイオードを含む、実施形態２６に記載のシステム。
［実施形態２９］
前記バックライトが、前記ＬＣＤパネルに面する発光部材を有する平面蛍光ランプを含む、実施形態２５に記載のシステム。
［実施形態３０］
前記平面蛍光ランプの発光部材が、前記第１の光学サブアセンブリの第１の基材を構成する、実施形態２９に記載のシステム。
［実施形態３１］
前記液晶ディスプレイパネルが、それぞれの第１および第２の側の、第１および第２の吸収偏光子を含む、実施形態２５に記載のシステム。
［実施形態３２］
前記ＬＣＤパネルの下部プレートが、前記第２のサブアセンブリの第２の基材を構成する、実施形態２５に記載のシステム。
［実施形態３３］
前記第１の光管理ユニットが少なくとも第１のディフューザ層を含む、実施形態２５に記載のシステム。
［実施形態３４］
前記第１のディフューザ層が前記第１の基材に直接付着される、実施形態３３に記載のシステム。
［実施形態３５］
前記第１のディフューザ層が、前記第１のディフューザ層と前記第１の基材との間に配置された接着剤層を介して前記第１の基材に付着される、実施形態３３に記載のシステム。
［実施形態３６］
前記第１のディフューザ層が、前記第１の基材の１つの側に設けられ、前記第１の光学サブアセンブリが、前記第１の基材の第２の側に設けられた第２のディフューザ層を含む、実施形態３３に記載のシステム。
［実施形態３７］
前記第１の基材がバルクディフューザプレートを含む、実施形態２５に記載のシステム。
［実施形態３８］
前記光管理ユニットが、その幅を横切って実質的に均一である拡散特徴を提供する、実施形態２５に記載のシステム。
［実施形態３９］
前記第１の光学サブアセンブリが輝度向上層を含む、実施形態２５に記載のシステム。
［実施形態４０］
前記第２の光学サブアセンブリが輝度向上層を含む、実施形態２５に記載のシステム。
［実施形態４１］
前記光管理ユニットが、前記第１の光学サブアセンブリと前記第２の光学サブアセンブリとの間の前記間隙に配置された輝度向上層をさらに含む、実施形態２５に記載のシステム。
［実施形態４２］
前記第１の光学サブアセンブリが反射偏光子を含む、実施形態２５に記載のシステム。
［実施形態４３］
前記第２の光学サブアセンブリが反射偏光子を含む、実施形態２５に記載のシステム。
［実施形態４４］
前記光管理ユニットが、前記第１の光学サブアセンブリと前記第２の光学サブアセンブリとの間の前記間隙に配置された反射偏光子をさらに含む、実施形態２５に記載のシステム。
［実施形態４５］
前記光管理ユニットが、輝度向上層と、反射偏光子とをさらに含む、実施形態２５に記載のシステム。
［実施形態４６］
前記輝度向上層および前記反射偏光子が、同じ光学サブアセンブリ内にある、実施形態４５に記載のシステム。
［実施形態４７］
前記輝度向上層および前記反射偏光子が、異なった光学サブアセンブリ内にある、実施形態４５に記載のシステム。
［実施形態４８］
前記光管理ユニットが、前記バックライトから前記ＬＣＤパネルに進む光を拡散させるための少なくとも１つの拡散要素を含み、前記少なくとも１つの拡散要素を通る１通過光学透過が、約７２％〜９５％の範囲内である、実施形態２５に記載のシステム。
［実施形態４９］
前記範囲が約７５％〜９０％である、実施形態４８に記載のシステム。
［実施形態５０］
前記第１の光学サブアセンブリと前記第２の光学サブアセンブリとの間に位置決めされたスペーサであって、前記間隙を規定するように、前記第１および第２のサブアセンブリを隔置するスペーサをさらに含む、実施形態２５に記載のシステム。
［実施形態５１］
前記スペーサが、前記第１および第２のサブアセンブリをともに接着保持する、実施形態５０に記載のシステム。
［実施形態５２］
前記スペーサが、前記第１および第２のサブアセンブリのそれぞれの表面の周縁に沿って位置決めされる、実施形態５０に記載のシステム。
［実施形態５３］
前記光管理ユニットと前記ＬＣＤパネとの間の光のσ／Ｉの値が１．５％未満であり、ここで、Ｉは、前記ＬＣＤパネルを横切って平均された、前記光管理ユニットから前記ＬＣＤパネルに進む照明光のレベルであり、σは、前記ＬＣＤパネルに入る照明光のレベルの二乗平均平方根偏差である、実施形態２５に記載のシステム。
［実施形態５４］
σ／Ｉの値が１．３％未満である、実施形態５３に記載のシステム。
［実施形態５５］
前記ＬＣＤパネルによって表示された画像を制御するために結合されたコントローラをさらに含む、実施形態２５に記載のシステム。
［実施形態５６］
前記コントローラがコンピュータを含む、実施形態５５に記載のシステム。
［実施形態５７］
前記コントローラがテレビジョンコントローラを含む、実施形態５５に記載のシステム。